(57)【要約】【課題】プロジェクターが認証に失敗したときに光源が消耗するのを防止する。【解決手段】プロジェクター１の起動時に、光源１１を点灯し、所定の認証画面を投写して認証を行う第１モードと、光源１１を点灯せずに認証を行う第２モードのいずれかを設定可能なモード設定手段２０２、を備え、認証手段２０１は認証が成功した場合にモード設定手段２０２に第１モードを設定し、認証が失敗した場合にモード設定手段２０２に第２モードを設定する。【選択図】図１
2012226035.tif 000002
【特許請求の範囲】
【請求項１】
光源から射出された光を画像情報に応じて変調して投写する画像投写手段を有するプロジェクターであって、
当該プロジェクターの使用許可を得るための操作を受け付ける入力操作手段と、
前記入力操作手段が受け付けた前記操作に基づいて、前記プロジェクターの使用を許可するか否かの認証を行なう認証手段と、
当該プロジェクターの起動時に、前記光源を点灯し、所定の認証画面を投写して認証を行う第１のモードと、前記光源を点灯せずに認証を行う第２のモードのいずれかを設定可能なモード設定手段と、
を備え、
前記認証手段は前記認証された場合に前記モード設定手段に前記第１のモードを設定し、前記認証されなかった場合に前記モード設定手段に前記第２のモードを設定することを特徴とするプロジェクター。
【請求項２】
請求項１に記載のプロジェクターにおいて、
当該プロジェクターの電源オフ状態において、前記モード設定手段に前記第２のモードが設定されている場合に報知する報知手段をさらに備えたことを特徴とする、プロジェクター。
【請求項３】
請求項１に記載のプロジェクターにおいて、
前記モード設定手段に前記第２のモードが設定されており、前記認証手段により認証された場合、前回の起動時において認証されなかった旨の警告メッセージを投写することを特徴とする、プロジェクター。
【請求項４】
光源から射出された光を画像情報に応じて変調して投写する画像投写手段を備えたプロジェクターの制御方法であって、
当該プロジェクターの起動時に、前記光源を点灯し、所定の認証画面を投写して認証を行う第１のモードと、前記光源を点灯せずに認証を行う第２のモードのいずれかを設定するモード設定ステップと、
当該プロジェクターの使用許可を得るための操作を受け付ける入力操作ステップと、
前記入力操作ステップが受け付けた前記操作に基づいて前記プロジェクターの使用を許可するか否かの認証を行い、使用許可が認証されたか否かを判定する判定ステップと、
を備え、
前記モード設定ステップは、前記判定ステップにおいて認証されたと判定された場合に前記モード設定手段に前記第１のモードを設定し、認証されなかったと判定された場合に前記モード設定手段に前記第２のモードを設定する、
ことを特徴とするプロジェクターの制御方法。
【発明の詳細な説明】
【技術分野】
【０００１】
本発明は、プロジェクター、及びプロジェクターの制御方法に関する。
【背景技術】
【０００２】
プロジェクターの不正使用を防止するため、使用時に暗証番号を入力し、認証を行うものが知られている。このようなプロジェクターによれば、暗証番号を知らない第三者に不正に使用されるのを防止することができる。
しかし暗証番号入力時にも光源を点灯して画像を投写するので、プロジェクターを不正に利用しようとする者が認証されず、入力を繰り返し行なった場合、光源が点灯し続け、消耗してしまうという問題があった。また、不正に使用しようとした者が暗証番号の入力を繰り返し行った痕跡が残らないため、正規の使用者（ユーザー）が暗証番号を変える、プロジェクターの設置場所を変えるといった対策をとることを忘れ、いつか暗証番号認証が突破されてしまう虞もあった。
【０００３】
特許文献１には電源オン時に所定のキー操作によって認証を行うプロジェクターが開示されている。このプロジェクターによれば、所定のキー操作によって認証した後で光源を点灯するため、認証されなかった場合の光源の消耗を防止できる。
【先行技術文献】
【特許文献】
【０００４】
【特許文献１】特開２００５−３３８６０４号公報
【発明の概要】
【発明が解決しようとする課題】
【０００５】
しかしながら、特許文献１のプロジェクターでは、認証時における光源の消耗は防止できるものの、第三者が不正に使用とした痕跡は残らないので、正規の使用者が対策を取り遅れてしまうという問題は解決できなかった。
さらに、特許文献１のプロジェクターでは認証のためのキー操作を第三者に見られてしまう虞があった。また、プロジェクターを天吊設置している場合は本体キーを操作できないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調して投写する画像投写手段を有するプロジェクターであって、当該プロジェクターの使用許可を得るための操作を受け付ける入力操作手段と、前記入力操作手段が受け付けた前記操作に基づいて、前記プロジェクターの使用を許可するか否かの認証を行なう認証手段と、当該プロジェクターの起動時に、前記光源を点灯し、所定の認証画面を投写して認証を行う第１のモードと、前記光源を点灯せずに認証を行う第２のモードのいずれかを設定可能なモード設定手段と、を備え、前記認証手段は、認証された場合に前記モード設定手段に前記第１のモードを設定し、認証されなかった場合に前記モード設定手段に前記第２のモードを設定することを特徴とする。
【０００８】
本適用例によれば、プロジェクターの使用許可が認証されなかった場合、次回起動時の操作、および認証においては光源を消灯したまま行う。これにより、不正にプロジェクターを使用しようとする者が認証されず、操作を繰り返し行なった場合でも光源の消耗を防ぐことが可能となる。また、正規の使用者がプロジェクターを使用しようとした場合に、光源が消灯した状態で認証する第２のモードに変わっていることにより、第三者が不正に使用しようとしたことに気付くことができ、不正使用防止の対策を促すことが可能となる。
【０００９】
［適用例２］上記適用例に記載のプロジェクターにおいて、当該プロジェクターの電源オフ状態において、前記モード設定手段に前記第２のモードが設定されている場合に報知する報知手段をさらに備えたことを特徴とする。
【００１０】
本適用例によれば、プロジェクターの使用許可が認証されなかった後の電源オフ状態において、第２モードに設定されていることが報知手段により報知される。これにより、正規のユーザーがプロジェクターを起動しようとする場合、光源が点灯しない第２のモードに設定されていることを予め知ることができ、光源が点灯しないために故障と間違えるのを防止することが可能となる。
【００１１】
［適用例３］上記適用例に記載のプロジェクターにおいて、前記モード設定手段に前記第２のモードが設定されており、前記認証手段により認証された場合、前回の起動時において認証されなかった旨の警告メッセージを投写することを特徴とする。
【００１２】
本適用例によれば、光源を点灯せずに認証を行う第２のモードで起動したとき、前回の起動時に認証されなかったことを、警告メッセージとして投写する。これにより、第三者が不正にプロジェクターを使用しようとした痕跡を正規のユーザーに知らせることが可能となる。
【００１３】
［適用例４］本適用例に係るプロジェクターの制御方法は、光源から射出された光を画像情報に応じて変調して投写する画像投写手段を備えたプロジェクターの制御方法であって、当該プロジェクターの起動時に、前記光源を点灯し、所定の認証画面を投写して認証を行う第１のモードと、前記光源を点灯せずに認証を行う第２のモードのいずれかを設定するモード設定ステップと、当該プロジェクターの使用許可を得るための操作を受け付ける入力操作ステップと、前記入力操作ステップが受け付けた前記操作に基づいて前記プロジェクターの使用資格があるか否かの認証を行い、使用許可が前記認証されたか否かを判定する判定ステップと、を備え、前記モード設定ステップは、前記判定ステップにおいて認証されたと判定された場合に前記モード設定手段に前記第１のモードを設定し、認証されなかったと判定された場合に前記モード設定手段に前記第２のモードを設定する、ことを特徴とする。
【００１４】
本適用例によれば、プロジェクターの使用許可が認証されなかった場合、次回起動時の操作、および認証においては光源を消灯したまま行う。これにより、不正にプロジェクターを使用しようとする者が認証されず、操作を繰り返し行った場合でも光源の消耗を防ぐことが可能となる。また、正規の使用者がプロジェクターを使用しようとした場合に、光源が消灯した状態で認証するモードに変わっていることにより、第三者が不正に使用しようとしたことに気付くことができ、不正使用防止の対策を促すことが可能となる。
【図面の簡単な説明】
【００１５】
【図１】プロジェクター１の回路構成を示すブロック図。
【図２】プロジェクター１の動作を示すフローチャート。
【図３】プロジェクター１が第２モードで起動したときの警告メッセージＭ１を示す図。
【発明を実施するための形態】
【００１６】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１７】
（第１実施形態）
図１は、本実施形態のプロジェクターの回路構成を示すブロック図である。
図１に示すように、プロジェクター１は、画像投写手段１０、報知手段１５、ＯＳＤ処理手段１６、画像信号処理手段１７、画像信号入力手段１８、制御手段２０、記憶手段２１、入力操作手段２３、光源制御手段２５、電源端子３０、電源部３１等で構成されており、これらは図示しない筐体の内部に収容されている。
【００１８】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調し、投写レンズ１３から投写することによってスクリーンＳＣ等に画像を表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２０】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
上記実施形態では、光源１１として光源ランプ１１ａを用いて投写するプロジェクター１を例示したが、本発明は、光源としてＬＥＤ（Light emitting diode）光源やレーザー光源などを用いて投写するプロジェクターにも適用することができる。
なお、上記実施形態では、画像投写手段１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２３】
また、制御手段２０は、認証手段２０１とモード設定手段２０２を含んで構成される。
認証手段２０１は、入力操作手段２３が受け付けた操作に基づいてプロジェクター１の使用資格があるか否かの認証を行う。具体的には入力操作手段２３に暗証番号を入力し、プロジェクター１に予め保存された暗証番号と一致した場合にプロジェクター１の使用資格があるとみなし、プロジェクター１を使用可能にする。
モード設定手段２０２は、プロジェクター１の起動時に、光源１１を点灯し、所定の認証画面を投写して認証を行う第１のモードと、光源１１を点灯せずに認証を行う第２のモードのいずれかを設定可能に構成される。
【００２４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２５】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８の複数の画像入力端子を切り替えるための入力切替キー、各種設定を行うための設定メニューを重畳表示させるメニューキー、メニューからユーザーが設定項目を選択するカーソルキー、決定キー、エスケープキー、数字キー等がある。
【００２６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００２７】
また、入力操作手段２３は、上述した各種操作キーにより、プロジェクター１の使用許可を得るための操作を受け付け、認証手段２０１に入力する。
【００２８】
画像信号入力手段１８は、上述したように複数の画像入力端子を備えており、各画像入力端子より、ビデオ再生装置やパーソナルコンピューター等、外部の画像出力装置から、図示しないケーブルを介して画像情報が入力される。
【００２９】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３１】
液晶駆動手段１４は、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３２】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３３】
光源制御手段２５は、制御手段２０の指示に基づいて、光源１１に対する電力の供給と停止とを制御し、光源１１の点灯、及び消灯を切り替える。
【００３４】
報知手段１５は、ＬＥＤ等で構成され、モード設定手段２０２に第２モードが設定されている場合に報知する。
【００３５】
次に、本実施形態のプロジェクター１の動作を図２のフローチャートを用いて説明する。図２はプロジェクター１が電源オン操作を受け付けたときの動作を示すフローチャートである。
【００３６】
図２に示すように、プロジェクター１が、入力操作手段２３より電源オン操作を受け付けると（ステップＳ１０１）、制御手段２０は、モード設定手段２０２が第１モードに設定されているか否かを調べる（ステップＳ１０２）。モード設定手段２０２が第１モードに設定されている場合（ステップＳ１０２：Ｙ）、ステップＳ１０３に遷移する。モード設定手段２０２が第１モードに設定されていない場合、即ち第２モードに設定されている場合（ステップＳ１０２：Ｎ）、ステップＳ１１１に遷移する。
【００３７】
ステップＳ１０３において、光源制御手段２５により光源１１を点灯し、ステップＳ１０４に遷移する。
【００３８】
ステップＳ１０４において認証手段２０１は、画像投写手段１０に、所定の認証画面としての認証入力するための画面を投写させ、入力操作手段２３は、プロジェクター１の使用許可を得るための操作（認証操作入力）を受け付け、ステップＳ１０５に遷移する。
【００３９】
ステップＳ１０５において認証手段２０１は、入力操作手段２３が受け付けた認証操作入力により、認証が成功したか否かを調べる。
本実施形態においては、認証の結果、正しい認証操作が行われたと確認された場合を、認証が成功した、または認証されたと称し、不正な認証操作が行われたと確認された場合を、認証が成功しなかった（失敗した）、または認証されなかったと称す。
【００４０】
ステップＳ１０５において、認証が成功した場合（ステップＳ１０５：Ｙ）、ステップＳ１１０に遷移する。認証が成功しなかった（失敗した）場合（ステップＳ１０５：Ｎ）、ステップＳ１０６に遷移する。ステップＳ１０５が判定ステップに相当する。
【００４１】
ステップＳ１０６においてモード設定手段２０２は、第２モードを設定し、ステップＳ１０７に遷移する。
【００４２】
ステップＳ１０７において光源制御手段２５は、光源１１を消灯し、ステップＳ１０８に遷移する。
【００４３】
ステップＳ１０８において制御手段２０は、モード設定手段２０２が第２モードに設定されていることを報知手段１５に報知させ、ステップＳ１０９に遷移する。
【００４４】
ステップＳ１０９において制御手段２０は、プロジェクター１の電源をオフし、本動作フローを終了する。
【００４５】
ステップＳ１１０において制御手段２０は、画像信号入力手段１８に入力される画像情報を画像投写手段１０に投写（投写開始）させ、本動作フローを終了する。
【００４６】
一方、ステップＳ１１１において入力操作手段２３は、プロジェクター１の使用許可を得るための操作（認証操作入力）を受け付け、ステップＳ１１２に遷移する。
【００４７】
ステップＳ１１２において認証手段２０１は、入力操作手段２３が受け付けた認証操作入力により、認証が成功したか否かを調べる。認証が成功した場合（ステップＳ１１２：Ｙ）、ステップＳ１１３に遷移する。認証が成功しなかった（失敗した）場合（ステップＳ１１２：Ｎ）、ステップＳ１１７に遷移する。
【００４８】
ステップＳ１１３において制御手段２０は、報知手段１５による報知を終了し、ステップＳ１１４に遷移する。
【００４９】
ステップＳ１１４においてモード設定手段２０２は、第１モードを設定し、ステップＳ１１５に遷移する。
【００５０】
ステップＳ１１５において光源制御手段２５は、光源１１を点灯し、ステップＳ１１６に遷移する。
【００５１】
ステップＳ１１６において制御手段２０は、警告メッセージＭ１を画像投写手段１０に所定時間投写させ、ステップＳ１１０に遷移する。この時の警告メッセージＭ１を図３に示す。
【００５２】
ステップＳ１１７において制御手段２０は、プロジェクター１の電源をオフし、本動作フローを終了する。
【００５３】
以上説明したように、本実施形態のプロジェクター１によれば、プロジェクター１の使用許可が認証されなかった（認証に失敗した）場合、次回起動時の操作、および認証においては光源１１を消灯したまま認証を行う。これにより、不正にプロジェクター１を使用しようとする者が認証されず、操作（認証操作入力）を繰り返し行った場合でも光源１１の消耗を防ぐことが可能となる。また、正規の使用者がプロジェクター１を使用しようとした場合に、光源１１が消灯した状態で認証する第２モードに変わっていることにより、第三者が不正に使用しようとしたことに気付くことができ、不正使用防止の対策を促すことが可能となる。
【００５４】
また、プロジェクター１の使用許可が認証されなかった（認証に失敗した）後の電源オフ状態において、第２モードに設定されていることが報知手段１５により報知される。これにより、正規のユーザーがプロジェクター１を起動しようとする場合、光源１１が点灯しない第２モードに設定されているということを予め知ることができ、光源１１が点灯しないために故障と間違えるのを防止することが可能となる。
【００５５】
また、光源１１を点灯せずに認証を行う第２モードで起動したとき、前回の起動時に認証されなかった（認証に失敗した）ことを、警告メッセージＭ１として投写する。これにより、第三者が不正にプロジェクター１を使用しようとした痕跡を正規のユーザーに知らせることが可能となる。
【００５６】
（変形例１）
また、上記実施形態は、以下のように変更してもよい。
上述した実施形態においては第２のモードでは光源１１を点灯せずに操作、および認証を行うが、この際にＬＥＤなどにより、認証操作入力に応答する応答手段を備えてもよい。これにより、光源１１が点灯しないまま各種操作キーにより認証操作入力を行うときに正しくキーが受け付けられているかをユーザーが確認することが可能となる。
【符号の説明】
【００５７】
１…プロジェクター、１０…画像投写手段、１１…光源、１２Ｒ，１２Ｇ，１２Ｂ…液晶ライトバルブ、１３…投写レンズ、１４…液晶駆動手段、１５…報知手段、１６…ＯＳＤ処理手段、１７…画像信号処理手段、１８…画像信号入力手段、２０…制御手段、２０１…認証手段、２０２…モード設定手段、２１…記憶手段、２３…入力操作手段、２５…光源制御手段、３０…電源端子、３１…電源部。
【図１】
2012226035.tif 000003
【図２】
2012226035.tif 000004
【図３】
2012226035.tif 000005